(57)【要約】    【課題】  異なる信号形式またはデータ形式を採用する装置との間で簡易にかつ別途の装置を必要とすることなくＡＶ信号またはＡＶデータの入出力を行うことが可能な携帯情報端末を提供すること。    【解決手段】  内蔵記憶手段１１、外部メモリユニット１２、エンコーダ２１、デコーダ２２、入力データバッファ３１、出力データバッファ３２、入力信号処理部４１、出力信号処理部４２、ＡＶ信号入力部５１、ＡＶ信号出力部５２、記憶手段間転送制御部６、記録制御部７１、読出制御部７２、撮像部８１および再生部８２を備え、ＡＶ信号入力部５１が入力したＡＶ信号を入力信号処理部４１が所定のデータ形式のＡＶデータに変換し、記憶手段１１、１３がＡＶデータを記憶し、記憶手段１１、１３が記憶したＡＶデータを出力信号処理部４２が所定の信号形式のＡＶ信号に変換し、ＡＶ信号出力部５２が出力する構成を有している。  【選択図】  図１
2006174102.tif 000002
【特許請求の範囲】
【請求項１】
音声情報および映像情報のうちの少なくとも一方の情報を有するＡＶ信号を外部の装置から入力するＡＶ信号入力部と、前記ＡＶ信号を所定のデータ形式のＡＶデータに変換する入力信号処理部と、前記入力信号処理部が変換して得られたＡＶデータを圧縮して圧縮ＡＶデータを生成するエンコーダと、前記エンコーダが生成した圧縮ＡＶデータを記憶する内蔵記憶手段と、着脱可能な外部記憶手段に前記エンコーダが生成した圧縮ＡＶデータを書き込むと共に、前記外部記憶手段に記憶された圧縮ＡＶデータを読み出す外部メモリユニットと、前記内蔵記憶手段が記憶する圧縮ＡＶデータまたは前記外部メモリユニットが読み出した圧縮ＡＶデータを伸張して前記ＡＶデータに戻すデコーダと、前記デコーダが伸張して得られたＡＶデータを所定の信号形式の前記ＡＶ信号に変換する出力信号処理部と、前記出力信号処理部が変換して得られたＡＶ信号を外部の装置に出力するＡＶ信号出力部とを備えたことを特徴とする携帯情報端末。
【請求項２】
音声情報および映像情報のうちの少なくとも一方の情報を有するＡＶ信号を外部の装置から入力するＡＶ信号入力部と、前記ＡＶ信号を所定のデータ形式のＡＶデータに変換する入力信号処理部と、前記入力信号処理部が変換して得られたＡＶデータを圧縮して圧縮ＡＶデータを生成するエンコーダと、前記エンコーダが生成した圧縮ＡＶデータを記憶する内蔵記憶手段と、着脱可能な外部記憶手段に前記エンコーダが生成した圧縮ＡＶデータを少なくとも書き込む外部メモリユニットとを備えたことを特徴とする携帯情報端末。
【請求項３】
音声情報および映像情報のうちの少なくとも一方の情報を有するＡＶデータが圧縮された圧縮ＡＶデータを記憶する内蔵記憶手段と、着脱可能な外部記憶手段から圧縮ＡＶデータを少なくとも読み出す外部メモリユニットと、前記内蔵記憶手段が記憶する圧縮ＡＶデータまたは前記外部メモリユニットが読み出した圧縮ＡＶデータを伸張してＡＶデータに戻すデコーダと、前記デコーダが伸張して得られたＡＶデータを所定の信号形式のＡＶ信号に変換する出力信号処理部と、前記出力信号処理部が変換して得られたＡＶ信号を外部の装置に出力するＡＶ信号出力部とを備えたことを特徴とする携帯情報端末。
【請求項４】
前記入力信号処理部が変換して得られたＡＶデータ、または、前記デコーダが伸張して得られたＡＶデータを再生する再生部を備えたことを特徴とする請求項１に記載の携帯情報端末。
【請求項５】
前記エンコーダが生成した圧縮ＡＶデータの記憶先、および、前記デコーダが伸張する対象の圧縮ＡＶデータの記憶元を、前記内蔵記憶手段および前記外部記憶手段のうちから１つを選択的に指定させる手段を備えたことを特徴とする請求項１に記載の携帯情報端末。
【請求項６】
前記外部メモリユニットが前記外部記憶手段から読み出した圧縮ＡＶデータを前記内蔵記憶手段に転送し、前記内蔵記憶手段に記憶された圧縮ＡＶデータを前記外部メモリユニットに転送する記憶手段間転送制御部を備えたことを特徴とする請求項１に記載の携帯情報端末。
【発明の詳細な説明】
【技術分野】
【０００１】
本発明は、音声情報および映像情報のうちの少なくとも一方の情報を有する信号（以下、ＡＶ信号といい、この信号がデジタル信号であることを強調するとき、または、この信号を介してデータが伝送されることを強調するときはＡＶデータという。）を外部装置または外部機器との間で入出力する携帯情報端末に関する。
【背景技術】
【０００２】
従来、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）等の標準的なＴＶシステム用、ＶＨＳ（Ｖｉｄｅｏ  Ｈｏｍｅ  Ｓｙｓｔｅｍ）用等のアナログのＡＶ信号、および、ＤＶＤ用、レーザディスク用、地上波デジタルテレビジョン放送用、衛星デジタル放送用等のＡＶデータがメディアの情報を出力し、または、入力するときに用いられる。
【０００３】
近年のメディアのデジタル化の進展から、今後ＡＶデータを利用する割合が高まることが予想されている。しかし、現状では、ＡＶデータを一方の機器から他方の機器に転送する場合、デジタルラインよりもアナログライン（コンポジットまたはコンポーネント）を介して転送する方が多い。係る観点から、民生用途では、アナログラインの利用を確保する必要がある。
【０００４】
ＡＶデータに関しては、ＡＶデータを記録再生可能な家庭用の民生用機器、携帯電話等の携帯情報端末が多数開発され、ユーザは様々な場面でＡＶデータを扱うことが可能になった。例えば、民生用のＨＤＤレコーダ等を用いて記録したＡＶデータを、ＳＤカード、ＭＭＣカード等の外部メモリに保存し、保存したＡＶデータを携帯情報端末で再生する等の利用も可能となってきた。
【０００５】
その一方で、現状では、ＡＶデータのデータ形式は様々存在し、ある機器を用いて保存したＡＶデータのデータ形式と自己の装置が採用するデータ形式とが対応していないため、携帯情報端末で再生できない等の問題がある。データ形式が変換できる他の専用機器に接続してＡＶデータを転送し、対応するデータ形式に変換できる場合もあるが（例えば、特許文献１参照）、別途の作業および装置等を必要とすることは好ましくない。
【特許文献１】特開平８−８４３１５号公報
【発明の開示】
【発明が解決しようとする課題】
【０００６】
しかし、このような従来の携帯情報端末では、上記のように採用するＡＶデータのデータ形式が統一されていないことによって、異なるデータ形式を採用する装置間で簡易にまたは別途の装置を必要とすることなくＡＶデータの入出力を行うことができず、一方の装置で利用できたＡＶデータが他方の装置では利用できない場合があるという問題がある。
【０００７】
本発明はこのような問題を解決するためになされたもので、異なる信号形式またはデータ形式を採用する装置との間で簡易にかつ別途の装置を必要とすることなくＡＶ信号またはＡＶデータの入出力を行うことが可能な携帯情報端末を提供するものである。
【課題を解決するための手段】
【０００８】
本発明の携帯情報端末は、音声情報および映像情報のうちの少なくとも一方の情報を有するＡＶ信号を外部の装置から入力するＡＶ信号入力部と、前記ＡＶ信号を所定のデータ形式のＡＶデータに変換する入力信号処理部と、前記入力信号処理部が変換して得られたＡＶデータを圧縮して圧縮ＡＶデータを生成するエンコーダと、前記エンコーダが生成した圧縮ＡＶデータを記憶する内蔵記憶手段と、着脱可能な外部記憶手段に前記エンコーダが生成した圧縮ＡＶデータを書き込むと共に、前記外部記憶手段に記憶された圧縮ＡＶデータを読み出す外部メモリユニットと、前記内蔵記憶手段が記憶する圧縮ＡＶデータまたは前記外部メモリユニットが読み出した圧縮ＡＶデータを伸張して前記ＡＶデータに戻すデコーダと、前記デコーダが伸張して得られたＡＶデータを所定の信号形式の前記ＡＶ信号に変換する出力信号処理部と、前記出力信号処理部が変換して得られたＡＶ信号を外部の装置に出力するＡＶ信号出力部とを備えた構成を有している。
【０００９】
この構成により、取得したＡＶ信号を入力信号処理部が自装置の利用可能なデータ形式のＡＶデータに変換し、出力信号処理部が相手側装置の利用可能な普及した信号形式のＡＶ信号に変換できるため、異なる信号形式またはデータ形式を採用する装置との間で簡易にかつ別途の装置を必要とすることなくＡＶ信号またはＡＶデータの入出力を行うことが可能な携帯情報端末を実現することができる。
【００１０】
また、本発明の携帯情報端末は、音声情報および映像情報のうちの少なくとも一方の情報を有するＡＶ信号を外部の装置から入力するＡＶ信号入力部と、前記ＡＶ信号を所定のデータ形式のＡＶデータに変換する入力信号処理部と、前記入力信号処理部が変換して得られたＡＶデータを圧縮して圧縮ＡＶデータを生成するエンコーダと、前記エンコーダが生成した圧縮ＡＶデータを記憶する内蔵記憶手段と、着脱可能な外部記憶手段に前記エンコーダが生成した圧縮ＡＶデータを少なくとも書き込む外部メモリユニットとを備えた構成を有している。
【００１１】
この構成により、取得したＡＶ信号を入力信号処理部が自装置の利用可能なデータ形式のＡＶデータに変換できるため、異なる信号形式またはデータ形式を採用する装置から、簡易にかつ別途の装置を必要とすることなくＡＶ信号またはＡＶデータの入力を行うことが可能な携帯情報端末を実現することができる。
【００１２】
また、本発明の携帯情報端末は、音声情報および映像情報のうちの少なくとも一方の情報を有するＡＶデータが圧縮された圧縮ＡＶデータを記憶する内蔵記憶手段と、着脱可能な外部記憶手段から圧縮ＡＶデータを少なくとも読み出す外部メモリユニットと、前記内蔵記憶手段が記憶する圧縮ＡＶデータまたは前記外部メモリユニットが読み出した圧縮ＡＶデータを伸張してＡＶデータに戻すデコーダと、前記デコーダが伸張して得られたＡＶデータを所定の信号形式のＡＶ信号に変換する出力信号処理部と、前記出力信号処理部が変換して得られたＡＶ信号を外部の装置に出力するＡＶ信号出力部とを備えた構成を有している。
【００１３】
この構成により、出力信号処理部が相手側装置の利用可能な普及した信号形式のＡＶ信号に変換できるため、異なる信号形式またはデータ形式を採用する装置に、簡易にかつ別途の装置を必要とすることなくＡＶ信号またはＡＶデータの出力を行うことが可能な携帯情報端末を実現することができる。
【００１４】
また、本発明の携帯情報端末は、前記入力信号処理部が変換して得られたＡＶデータ、または、前記デコーダが伸張して得られたＡＶデータを再生する再生部を備えた構成を有している。
【００１５】
この構成により、入力信号処理部が変換した後のデータ形式または出力信号処理部が変換する前のデータ形式のＡＶデータを再生できるため、異なるデータ形式を採用する装置との間で簡易にかつ別途の装置を必要とすることなくＡＶデータの入出力を行うことが可能であると共に、自装置に適したデータ形式でＡＶデータを再生することが可能な携帯情報端末を実現することができる。
【００１６】
また、本発明の携帯情報端末は、前記エンコーダが生成した圧縮ＡＶデータの記憶先、および、前記デコーダが伸張する対象の圧縮ＡＶデータの記憶元を、前記内蔵記憶手段および前記外部記憶手段のうちから１つを選択的に指定させる手段を備えた構成を有している。
【００１７】
この構成により、エンコーダが生成した圧縮ＡＶデータの記憶先およびデコーダが伸張する対象の圧縮ＡＶデータの記憶元を、内蔵記憶手段および外部記憶手段のうちから１つを選択的に指定できるため、異なるデータ形式を採用する装置との間で簡易にかつ別途の装置を必要とすることなくＡＶデータの入出力を行うことが可能であると共に、操作性を向上することが可能な携帯情報端末を実現することができる。
【００１８】
また、本発明の携帯情報端末は、前記外部メモリユニットが前記外部記憶手段から読み出した圧縮ＡＶデータを前記内蔵記憶手段に転送し、前記内蔵記憶手段に記憶された圧縮ＡＶデータを前記外部メモリユニットに転送する記憶手段間転送制御部を備えた構成を有している。
【００１９】
この構成により、外部メモリユニットが外部記憶手段から読み出した圧縮ＡＶデータを内蔵記憶手段に転送し、内蔵記憶手段に記憶された圧縮ＡＶデータを外部メモリユニットに転送することができるため、異なるデータ形式を採用する装置との間で簡易にかつ別途の装置を必要とすることなくＡＶデータの入出力を行うことが可能であると共に、内蔵記憶手段と外部記憶手段との間で圧縮ＡＶデータを転送することが可能な携帯情報端末を実現することができる。
【発明の効果】
【００２０】
本発明は、取得したＡＶ信号を入力信号処理部が自装置の利用可能なデータ形式のＡＶデータに変換し、出力信号処理部が相手側装置の利用可能な普及した信号形式のＡＶ信号に変換できるため、異なる信号形式またはデータ形式を採用する装置との間で簡易にかつ別途の装置を必要とすることなくＡＶ信号またはＡＶデータの入出力を行うことができるという効果を有する携帯情報端末を提供することができるものである。
【発明を実施するための最良の形態】
【００２１】
以下、本発明の実施の形態について、図面を用いて詳細に説明する。
【００２２】
（実施の形態）
図１は、本発明の実施の形態に係る携帯情報端末のブロック構成を示す図である。図１において、携帯情報端末１００は、内蔵記憶手段１１、外部メモリユニット１２、エンコーダ２１、デコーダ２２、入力データバッファ３１、出力データバッファ３２、入力信号処理部４１、出力信号処理部４２、ＡＶ信号入力部５１、ＡＶ信号出力部５２、記憶手段間転送制御部６、記録制御部７１、読出制御部７２、撮像部８１および再生部８２を備える。
【００２３】
ＡＶ信号入力部５１は、不図示の操作部を介して入力された操作入力信号に応じて、不図示の外部の装置から、音声情報および映像情報のうちの少なくとも一方の情報を有する信号（以下、ＡＶ信号といい、この信号がデジタル信号であることを強調するとき、または、この信号を介してデータが伝送されることを強調するときはＡＶデータという。）を入力し、入力した信号を入力信号処理部４１に出力するようになっている。ここで、ＡＶ信号入力部５１は、ＡＶデータのほかに、例えばＳ−ＶＨＳ（Ｓｕｐｅｒ  Ｖｉｄｅｏ  Ｈｏｍｅ  Ｓｙｓｔｅｍ）信号、コンポジット信号等の、映像情報を含むＡＶ信号を入力するのでもよい。また、ＡＶ信号入力部５１は、所定の通信機能を有し、接続された外部の装置と通信して上記のＡＶ信号を受信するようになっているのでもよい。
【００２４】
入力信号処理部４１は、ＡＶ信号入力部５１が出力するＡＶ信号を所定のデータ形式のＡＶデータに変換し、変換して得られたＡＶデータを入力データバッファ３１に出力するようになっている。したがって、入力信号処理部４１は、ＡＶ信号入力部５１が出力するＡＶ信号がアナログ信号のとき、このＡＶ信号に対してアナログデジタル変換を行い所定の形式のＡＶデータに変換し、ＡＶ信号入力部５１が出力するＡＶ信号がデジタル信号のとき、所定の形式のＡＶデータに変換して出力するようになっている。以下、入力信号処理部４１が行う上記の処理を入力信号処理という。ここで、入力信号処理部４１が出力するＡＶデータは、携帯情報端末１００によって再生可能であり、かつ、後続のデジタル処理等の処理が可能な信号形式になっている。
【００２５】
入力データバッファ３１は、不図示の操作部を介して入力された操作入力信号に応じて、入力信号処理部４１または撮像部８１が出力した信号をＡＶデータとして記憶し、記憶したＡＶデータをエンコーダ２１または再生部８２に出力するようになっている。ここで、ＡＶデータは、音声情報および映像情報のうちのいずれか１つ以上のものをいう。なお、記憶したＡＶデータを再生部８２に出力する場合は、ＡＶデータが入力データバッファ３１に残るように出力するのでも、消去されるように出力するのでもよい。
【００２６】
エンコーダ２１は、不図示の操作部を介して入力された操作入力信号に応じて、入力データバッファ３１に蓄積されたＡＶデータをエンコード（二重化圧縮、可逆圧縮等）して圧縮ＡＶデータを生成し、生成した圧縮ＡＶデータを記録制御部７１に出力するようになっている。エンコーダ２１からは、不図示の外部の装置から取得されたＡＶ信号を変換して得られた圧縮ＡＶデータおよび撮像部８１が出力したＡＶデータを圧縮して得られた圧縮ＡＶデータが記録制御部７１に出力される。
【００２７】
記録制御部７１は、不図示の操作部を介して入力された操作入力信号に応じて、内蔵記憶手段１１および外部メモリユニット１２を制御し、エンコーダ２１が出力した圧縮ＡＶデータを内蔵記憶手段１１に書き込ませ、または、外部メモリユニット１２に出力して外部記憶手段１３に書き込ませるようになっている。
【００２８】
内蔵記憶手段１１は、例えばフラッシュメモリ、ＨＤＤ等によって構成され、圧縮ＡＶデータを複数記憶できるようになっている。内蔵記憶手段１１には、記録制御部７１の制御の下、エンコーダ２１が出力した圧縮ＡＶデータ、および、外部記憶手段１３が記憶した圧縮ＡＶデータであって外部メモリユニット１２が読み出し、記憶手段間転送制御部６が転送した圧縮ＡＶデータが書き込まれる。
【００２９】
外部メモリユニット１２は、例えばＩＣメモリ用のリーダライタ等であり、接続された外部記憶手段１３に対しデータの書き込みおよび読み出しを行うようになっている。データの読み出しは読出制御部７２の制御の下に行われ、読み出されたデータはデコーダ２２に出力、または、記憶手段間転送制御部６経由で内蔵記憶手段１１に転送される。また、データの書き込みは記録制御部７１の制御の下に行われ、エンコーダ２１が出力した圧縮ＡＶデータ、および、記憶手段間転送制御部６が転送した圧縮ＡＶデータを外部記憶手段１３に書き込む。
【００３０】
記憶手段間転送制御部６は、内蔵記憶手段１１および外部記憶手段１３のメモリ領域を検出する不図示のメモリ領域検出手段と、内蔵記憶手段１１と外部記憶手段１３との間でデータ転送を行うデータ転送手段と、転送の際に読み込んだデータを記憶するバッファ（図示されない）とを有する。記憶手段間転送制御部６は、不図示の操作部を介して入力された操作入力信号に応じて、圧縮ＡＶデータを転送するようになっている。
【００３１】
読出制御部７２は、不図示の操作部を介して入力された操作入力信号に応じて、内蔵記憶手段１１および外部メモリユニット１２を制御し、内蔵記憶手段１１に記憶された圧縮ＡＶデータを読み出してデコーダ２２または記憶手段間転送制御部６に出力させ、外部記憶手段１３に記憶された圧縮ＡＶデータを外部メモリユニット１２に読み出させてデコーダ２２または記憶手段間転送制御部６に出力させるようになっている。
【００３２】
デコーダ２２は、不図示の操作部を介して入力された操作入力信号に応じて、読出制御部７２が出力した圧縮ＡＶデータをデコード（伸張等）してＡＶデータに戻し、出力データバッファ３２に出力するようになっている。デコーダ２２からは、内蔵記憶手段１１および外部記憶手段１３に記憶された圧縮ＡＶデータを伸張して得られたＡＶデータが出力データバッファ３２に出力される。
【００３３】
出力データバッファ３２は、不図示の操作部を介して入力された操作入力信号に応じて、デコーダ２２が出力したＡＶデータを記憶し、記憶したＡＶデータを出力信号処理部４２または再生部８２に出力するようになっている。なお、記憶したＡＶデータを再生部８２に出力する場合は、ＡＶデータが出力データバッファ３２に残るように出力するのでも、消去されるように出力するのでもよい。
【００３４】
出力信号処理部４２は、不図示の操作部を介して入力された操作入力信号に応じて、出力データバッファ３２が出力するＡＶデータを所定の信号形式のＡＶ信号に変換し、変換して得られたＡＶ信号をＡＶ信号出力部５２に出力するようになっている。以下、出力信号処理部４２が行う上記の処理を出力信号処理という。ここで、デジタルアナログ変換後のＡＶ信号は、接続される外部の装置の利用可能な普及した信号形式になっている。
【００３５】
ＡＶ信号出力部５２は、出力信号処理部４２が出力したＡＶ信号を不図示の外部の装置に出力するようになっている。ＡＶ信号出力部５２からは、ＡＶデータのほかに、例えばＳ−ＶＨＳ信号、コンポジット信号等が出力される。ここで、ＡＶ信号出力部５２は、所定の通信機能を有し、接続された外部の装置と通信してＡＶ信号を送信するようになっているのでもよい。なお、ＡＶ信号出力部５２から出力されるＡＶ信号は、外部の再生装置８３に供給され、再生装置８３によって再生できるようになっているのでもよい。
【００３６】
以下、本発明の実施の形態に係る携帯情報端末１００の動作について図２および図３を用いて説明する。図２は、本発明の実施の形態に係る携帯情報端末１００のＡＶデータ取得動作を説明するためのフローチャートである。以下、携帯情報端末１００のＡＶデータ取得動作について図２を用いて説明する。
【００３７】
まず、不図示の操作部を介して入力された操作入力信号が処理され、操作入力の内容が検出される（Ｓ１１１）。ステップＳ１１１で操作入力の内容が検出されたとき、操作入力の内容がＡＶ信号入力部５１を介したＡＶ信号を取得することを示す指示であるか、撮像部８１が出力したＡＶデータを取得することを示す指示であるかが判断される（Ｓ１１２）。
【００３８】
ステップＳ１１２で操作入力の内容がＡＶ信号入力部５１を介したＡＶ信号を取得することを示す指示であると判断されたとき、外部の装置からのＡＶ信号がＡＶ信号入力部５１によって取得される（Ｓ１１３）。ステップＳ１１３でＡＶ信号が取得されたとき、取得されたＡＶ信号に対して入力信号処理が入力信号処理部４１によって行われる（Ｓ１１４）。ステップＳ１１４で入力信号処理が行われたとき、入力信号処理を行って得られたＡＶデータが入力データバッファ３１に記憶される（Ｓ１１５）。
【００３９】
ステップＳ１１２で操作入力の内容が、撮像部８１が出力したＡＶデータを取得することを示す指示であると判断されたとき、撮像部８１からのＡＶ信号がＡＶデータとして入力データバッファ３１に記憶される（Ｓ１１６）。
【００４０】
ステップＳ１１５またはステップＳ１１６でＡＶデータが入力データバッファ３１に記憶されたとき、入力データバッファ３１に記憶されたＡＶデータを再生部８２に再生させるのか、または、内蔵記憶手段１１もしくは外部記憶手段１３に記憶させるか否かが判断される（Ｓ１２１）。ステップＳ１２１でＡＶデータを内蔵記憶手段１１もしくは外部記憶手段１３に記憶させると判断されたとき、ＡＶデータがエンコーダ２１によってエンコード（二重化圧縮、可逆圧縮等）され、圧縮ＡＶデータが生成される（Ｓ１２２）。ステップＳ１２２で圧縮ＡＶデータが生成されたとき、フラグが「０」にセットされる（Ｓ１２３）。
【００４１】
ステップＳ１２３でフラグが「０」にセットされたとき、ステップＳ１２２で生成された圧縮ＡＶデータを内蔵記憶手段１１または外部記憶手段１３のいずれに記憶させるかが判断される（Ｓ１２４）。ステップＳ１２４で圧縮ＡＶデータを内蔵記憶手段１１に記憶させると判断されたとき、内蔵記憶手段１１に圧縮ＡＶデータを記憶させるだけの記憶容量の空きがあるか否かが判断される（Ｓ１２５）。ステップＳ１２５で内蔵記憶手段１１に圧縮ＡＶデータを記憶させるだけの記憶容量の空きがあると判断されたとき、圧縮ＡＶデータを内蔵記憶手段１１に記憶させる（Ｓ１２６）。
【００４２】
ステップＳ１２５で内蔵記憶手段１１に圧縮ＡＶデータを記憶させるだけの記憶容量の空きがないと判断されたとき、上記のフラグが「０」であるか否かが判断される（Ｓ１３１）。ステップＳ１３１でフラグが「０」であると判断されたとき、外部メモリユニット１２に外部記憶手段１３が接続されているか否かが判断される（Ｓ１３２）。ステップＳ１３２で外部メモリユニット１２に外部記憶手段１３が接続されていると判断されたとき、外部記憶手段１３に圧縮ＡＶデータを記憶させるだけの記憶容量の空きがあるか否かが判断される（Ｓ１３３）。ステップＳ１３３で外部記憶手段１３に圧縮ＡＶデータを記憶させるだけの記憶容量の空きがあると判断されたとき、圧縮ＡＶデータを外部記憶手段１３に記憶させる（Ｓ１３４）。
【００４３】
ステップＳ１３１でフラグが「０」でないと判断されたとき、または、ステップＳ１３２で外部メモリユニット１２に外部記憶手段１３が接続されていないと判断されたとき、または、ステップＳ１３３で外部記憶手段１３にＡＶデータを記憶させるだけの記憶容量の空きがないと判断されたとき、ＡＶデータの保存処理は終了する。このとき、ＡＶデータが記憶されないことを示す表示を再生部８２にするのでもよい。
【００４４】
ステップＳ１２４で圧縮ＡＶデータを外部記憶手段１３に記憶させると判断されたとき、外部メモリユニット１２に外部記憶手段１３が接続されているか否かが判断される（Ｓ１４１）。ステップＳ１４１で外部メモリユニット１２に外部記憶手段１３が接続されていると判断されたとき、外部記憶手段１３に圧縮ＡＶデータを記憶させるだけの記憶容量の空きがあるか否かが判断される（Ｓ１４２）。ステップＳ１４２で外部記憶手段１３に圧縮ＡＶデータを記憶させるだけの記憶容量の空きがあると判断されたとき、圧縮ＡＶデータを外部記憶手段１３に記憶させる（Ｓ１４３）。
【００４５】
ステップＳ１４３で圧縮ＡＶデータを外部記憶手段１３に記憶させたとき、処理は終了する。ステップＳ１４１で外部メモリユニット１２に外部記憶手段１３が接続されていないと判断されたとき、または、ステップＳ１４２で外部記憶手段１３に圧縮ＡＶデータを記憶させるだけの記憶容量の空きがないと判断されたとき、上記のフラグに「１」が代入され（Ｓ１４４）、処理はステップＳ１２５に跳ぶ。
【００４６】
ステップＳ１２１で再生部８２に再生させると判断されたとき、ＡＶデータが再生部８２に出力され、再生部８２によって再生される（Ｓ１５１）。ステップＳ１５１でＡＶデータが再生部８２によって再生されたとき、再生対象のＡＶデータを内蔵記憶手段１１または外部記憶手段１３のいずれかに記憶させるか否かが判断され（Ｓ１５２）、記憶させると判断されたとき、処理はステップＳ１２２に跳び、記憶させないと判断されたとき、処理は終了する。
【００４７】
次に、携帯情報端末１００のＡＶ信号出力動作について図３を用いて説明する。図３は、本発明の実施の形態に係る携帯情報端末１００のＡＶ信号出力動作を説明するためのフローチャートである。
【００４８】
まず、不図示の操作部を介して入力された操作入力信号が処理され、操作入力の内容が検出される（Ｓ２１１）。ステップＳ２１１で操作入力の内容が検出されたとき、操作入力の内容が、内蔵記憶手段１１または外部記憶手段１３のうちのいずれかのメモリに記憶された圧縮ＡＶデータを読み出すことを指示されているかが判断される（Ｓ２１２）。ステップＳ２１２で内蔵記憶手段１１に記憶された圧縮ＡＶデータを読み出すと判断されたとき、内蔵記憶手段１１に記憶された圧縮ＡＶデータを読み出し（Ｓ２１３）、外部記憶手段１３に記憶された圧縮ＡＶデータを読み出すと判断されたとき、外部記憶手段１３に記憶された圧縮ＡＶデータを読み出す（Ｓ２１４）。
【００４９】
ステップＳ２１３またはステップＳ２１４で圧縮ＡＶデータが読み出されたとき、圧縮ＡＶデータがデコーダ２２によってデコード（伸張等）されてＡＶデータに戻される（Ｓ２１５）。ステップＳ２１５でのデコードによってＡＶデータが生成されたとき、生成されたＡＶデータが出力データバッファ３２に記憶される（Ｓ２１６）。
【００５０】
ステップＳ２１６でＡＶデータが出力データバッファ３２に記憶されたとき、出力データバッファ３２に記憶されたＡＶデータを再生させるか外部の装置等に出力させるかが判断される（Ｓ２２１）。ステップＳ２２１で外部の装置等に出力させると判断されたとき、出力データバッファ３２に記憶されたＡＶデータに対して出力信号処理が出力信号処理部４２によって行われる（Ｓ２２２）。ステップＳ１１４で出力信号処理が行われたとき、出力信号処理で得られたＡＶ信号が外部の装置等に出力され（Ｓ２２３）、処理は終了する。
【００５１】
ステップＳ２２１で再生させると判断されたとき、出力データバッファ３２に記憶されたＡＶデータが再生部８２に出力され、再生部８２によって再生される（Ｓ２３１）。ステップＳ２３１でＡＶデータが再生部８２によって再生されたとき、再生対象のＡＶデータを外部の装置等に出力させるか否かが判断され（Ｓ２３２）、記憶させると判断されたとき、処理はステップＳ２２２に跳び、出力させないと判断されたとき、処理は終了する。
【００５２】
以上説明したように、本発明の実施の形態に係る携帯情報端末は、取得したＡＶ信号を入力信号処理部が自装置の利用可能なデータ形式のＡＶデータに変換し、出力信号処理部が相手側装置の利用可能な普及した信号形式のＡＶ信号に変換できるため、異なる信号形式またはデータ形式を採用する装置との間で簡易にかつ別途の装置を必要とすることなくＡＶ信号またはＡＶデータの入出力を行うことができる。
【００５３】
また、入力信号処理部が変換した後のデータ形式または出力信号処理部が変換する前のデータ形式のＡＶデータを再生できるため、異なるデータ形式を採用する装置との間で簡易にかつ別途の装置を必要とすることなくＡＶデータの入出力を行うことが可能であると共に、自装置に適したデータ形式でＡＶデータを再生することができる。
【００５４】
また、エンコーダが生成した圧縮ＡＶデータの記憶先およびデコーダが伸張する対象の圧縮ＡＶデータの記憶元を、内蔵記憶手段および外部記憶手段のうちから１つを選択的に指定できるため、異なるデータ形式を採用する装置との間で簡易にかつ別途の装置を必要とすることなくＡＶデータの入出力を行うことが可能であると共に、操作性を向上することができる。
【００５５】
また、外部メモリユニットが外部記憶手段から読み出した圧縮ＡＶデータを内蔵記憶手段に転送し、内蔵記憶手段に記憶された圧縮ＡＶデータを外部メモリユニットに転送することができるため、異なるデータ形式を採用する装置との間で簡易にかつ別途の装置を必要とすることなくＡＶデータの入出力を行うことが可能であると共に、内蔵記憶手段と外部記憶手段との間で圧縮ＡＶデータを転送することができる。
【産業上の利用可能性】
【００５６】
本発明に係る携帯情報端末は、異なる信号形式またはデータ形式を採用する装置との間で簡易にかつ別途の装置を必要とすることなくＡＶ信号またはＡＶデータの入出力を行うことができるという効果が有用な携帯情報端末の用途にも適用できる。
【図面の簡単な説明】
【００５７】
【図１】本発明の実施の形態に係る携帯情報端末のブロック構成を示す図
【図２】本発明の実施の形態に係る携帯情報端末のＡＶデータ取得動作を説明するためのフローチャート
【図３】本発明の実施の形態に係る携帯情報端末のＡＶ信号出力動作を説明するためのフローチャート
【符号の説明】
【００５８】
６  記憶手段間転送制御部
１１  内蔵記憶手段
１２  外部メモリユニット
１３  外部記憶手段
２１  エンコーダ
２２  デコーダ
３１  入力データバッファ
３２  出力データバッファ
４１  入力信号処理部
４２  出力信号処理部
５１  ＡＶ信号入力部
５２  ＡＶ信号出力部
７１  記録制御部
７２  読出制御部
８１  撮像部
８２  再生部
８３  再生装置
１００  携帯情報端末
【図１】
2006174102.tif 000003
【図２】
2006174102.tif 000004
【図３】
2006174102.tif 000005